(57)【要約】      （修正有）【課題】調理の際に手早く使用できて、使い捨てることを可能とする使い捨て油引きを提供する。【解決手段】調理器具に油を引く際の使い捨て油引き１００であって、幅方向に折り畳まれた複数の油引き用ペーパー１２０と、複数の油引き用ペーパー１２０を収容する容器１１０と、容器１１０を外部に固定する取付け部とを備え、容器１１０は、油引き用ペーパー１２０を取り出す開口部１１１を有し、幅方向における開口部１１１の長さは、油引き用ペーパー１２０の幅以上である。【選択図】図１
0003217448.tif 000002
【実用新案登録請求の範囲】
【請求項１】
調理器具に油を引く際の使い捨て油引きであって、
幅方向に折り畳まれた複数の油引き用ペーパーと、
前記複数の油引き用ペーパーを収容する容器と、
前記容器を外部に固定する取付け部とを備え、
前記容器は、前記油引き用ペーパーを取り出す開口部を有し、
前記幅方向における前記開口部の長さは、前記油引き用ペーパーの幅以上であることを特徴とする使い捨て油引き。
【請求項２】
請求項１の使い捨て油引きにおいて、
前記取付け部は、吸盤を含むことを特徴とする使い捨て油引き。
【請求項３】
請求項２の使い捨て油引きにおいて、
前記取付け部は、
前記吸盤の支柱と、
前記容器に設けられ前記吸盤の支柱を着脱可能に嵌着する嵌着穴とを更に含むことを特徴とする使い捨て油引き。
【請求項４】
請求項１乃至３の使い捨て油引きにおいて、
前記複数の油引き用ペーパーは、キッチンペーパーであることを特徴とする使い捨て油引き。
【請求項５】
請求項１乃至３の使い捨て油引きにおいて、
前記複数の油引き用ペーパーには、油が浸されていることを特徴とする使い捨て油引き。
【考案の詳細な説明】
【技術分野】
【０００１】
本考案は、フライパン又は鍋等の調理用具に食用油をひく際に使用する使い捨て油引きに関し、特に、家庭での調理において衛生的に使用できる使い捨て油引きに関する。
【背景技術】
【０００２】
特許文献１では、キッチンペーパー等を丸めたものを別のキッチンペーパー等で包み込んで油引き部分を形成し、また、この油引き部分を取っ手部分となる円筒部分の中に嵌め入れて固定することにより、油引き部分を取外し可能に取り付けできる使い捨て油引きが開示されている。
【０００３】
具体的には、油引き部分を円筒部分に固定するために、キッチンペーパーにおける丸めたキッチンペーパーを包む以外の部分について、端部をゴムで止めたり、円筒部分を二重にして中に挟んだり、又は円筒部分とリングとで挟んだりすることによって、油引き部分を取外し可能に固定して使用する油引きが開示されている。
【先行技術文献】
【特許文献】
【０００４】
【特許文献１】特開２０１１−１８９１０３号公報
【考案の概要】
【考案が解決しようとする課題】
【０００５】
しかしながら、従来の使い捨て油引きによると、調理をする際に使用済みの油引き部分を取り外して新たな油引き部分を作って取り付け直す必要があり、手間がかかってしまう。
【０００６】
本考案は、調理の際に手早く使用できて、使い捨てることを可能とする使い捨て油引きを提供することを目的とする。
【課題を解決するための手段】
【０００７】
第１の考案は、調理器具に油を引く際の使い捨て油引きであって、
幅方向に折り畳まれた複数の油引き用ペーパーと、
前記複数の油引き用ペーパーを収容する容器と、
前記容器を外部に固定する取付け部とを備え、
前記容器は、前記油引き用ペーパーを取り出す開口部を有し、
前記幅方向における前記開口部の長さは、前記油引き用ペーパーの幅以上であることを特徴とする。
【０００８】
第２の考案は、第１の考案に記載の使い捨て油引きにおいて、
前記取付け部は、吸盤を含むことを特徴とする。
【０００９】
第３の考案は、第２の考案に記載の使い捨て油引きにおいて、
前記取付け部は、
前記吸盤の支柱と、
前記容器に設けられ前記吸盤の支柱を着脱可能に嵌着する嵌着穴とを更に含むことを特徴とする。
【００１０】
第４の考案は、第１乃至第３の考案の使い捨て油引きにおいて、
前記複数の油引き用ペーパーは、キッチンペーパーであることを特徴とする。
【００１１】
第５の考案は、第１乃至第３の考案の使い捨て油引きにおいて、
前記複数の油引き用ペーパーには、油が浸されていることを特徴とする。
【考案の効果】
【００１２】
本考案によると、フライパン又は鍋等の調理用具に食用油をひく際に、容易かつ衛生的に油を延ばせて、使用後は使い捨てすることができる。
【図面の簡単な説明】
【００１３】
【図１】本考案の第１の実施形態に係る使い捨て油引きを示す斜視図である。
【図２】本考案の第１の実施形態に係る使い捨て油引きの上面図である。
【図３】本考案の第１の実施形態に係る使い捨て油引きのＡ―Ａ’断面図である。
【図４】本考案の第１の実施形態に係る使い捨て油引きの側面図である。
【図５】本考案の第１の実施形態に係る使い捨て油引きの底面図であり、（ａ）は容器１１０の底面１１３に吸盤１３１が取り付けられた状態を示し、（ｂ）は容器１１０の底面１１３から吸盤１３１が取り外された状態を示す。
【図６】本考案の第２の実施形態に係る使い捨て油引きの上面図である。
【考案を実施するための形態】
【００１４】
フライパン又は鍋等の調理用具に入れた食用油を均一に延ばすために、種々の油引きが市販されている。一般的に油引きは、油が空気中の埃等を吸着し易いので、台所に置いている間に埃等で汚れている場合が多い。また、油引きに付着した油汚れは、台所洗剤等で落ち難いために不衛生なままで使用していることも多い。そのため衛生的に使用できる油引きが求められていた。
【００１５】
そこで、考案者は油を延ばした後に使い捨てることを可能にするとともに、安価に使用できる油引きを着想した。
【００１６】
以下、本考案に係る使い捨て油引きの実施の形態を、図面を用いて説明する。
【００１７】
図１は、本考案の第１の実施形態に係る使い捨て油引き１００を示す斜視図である。
【００１８】
図１に示すように、本考案の使い捨て油引き１００は、油引き用ペーパー１２０と、該油引き用ペーパー１２０を複数、収容する容器１１０とを備える。使い捨て油引き１００は、食用油を使って調理を始めるに当たり、フライパン又は鍋等の調理用具の予熱時に、油を延ばす用途に用いられる。なお、図１には示されていないが、容器１１０の開口部１１１を有する面に対向する底面１１３は、例えば吸盤等で外部に固定することができる（図４，５参照）。
【００１９】
複数の油引き用ペーパー１２０は、容器１１０に設けられている開口部１１１から１枚ずつ取り出して使うことができる。取り出した油引き用ペーパー１２０は菜箸等で撮んで、それで調理用具に入れた油を延ばす。使用済みの油引き用ペーパー１２０は、捨てられる。また、油引き用ペーパー１２０をすべて消費して容器が空になれば、容器１１０も捨てられる。
【００２０】
油引き用ペーパー１２０は、例えばキッチンペーパーである。油引き用ペーパー１２０の大きさは、１回使用するごとに捨てるのに適当な大きさである。油引き用ペーパー１２０の大きさは、例えば、引き出す方向における長さが略８．５〜１０．５センチメートル、幅が略５．０〜７．０センチメートルの長方形である。長方形は例示であって、正方形でもよい。
【００２１】
図2は、本考案の第１の実施形態に係る使い捨て油引き１００を示す上面図である。容器１１０は例えば紙製の箱から成る。容器１１０の大きさは、例えば長辺略７．０〜９．０センチメートル、短辺略６．０〜８．０センチメートル、高さ略２．５〜３．５センチメートルの直方体である。
【００２２】
図２に示すように、容器１１０の上面には、収容されている油引き用ペーパー１２０を取り出すための開口部１１１が設けられている。開口部１１１から油引き用ペーパー１２０を１枚取り出す毎に、次のペーパーの先端が開口部１１１から出てくる（詳細は後述）。
【００２３】
ここで油引き用ペーパー１２０の幅方向における開口部１１１の長さは、収容されている油引き用ペーパー１２０の幅と略同じにしている。これにより油引き用ペーパー１２０を開口部１１１から1枚ずつ取り出す際に、引っ掛からずに取り出し易い。油引き用ペーパー１２０の幅方向における開口部１１１の長さは、油引き用ペーパー１２０の幅よりも大きくても良い。
【００２４】
図３は、本考案の第１の実施形態に係る使い捨て油引き１００を示すＡ―Ａ´断面図である。図3に示すように、油引き用ペーパー１２０は、1枚ずつを2つ折りにして、それらの折り目が左右互い違いになるように重ねていることで、つづら折り状に重なって容器内に収容されている。これにより、油引き用ペーパー１２０は容器から1枚を引き出したら、次の1枚の先端が開口部１１１から出てくることになる。また、ここで2つ折りは例示であって、特に2つ折りに限らない。
【００２５】
図４は、本考案の第１の実施形態に係る使い捨て油引き１００を示す側面図である。使い捨て油引き１００は、図4に示すように、容器１１０において開口部１１１を有する面に対向する底面１１３に、外部に固定するための取付け部１３０を備える。取付け部１３０は、吸盤１３１と吸盤１３１の支柱１３２とを含む。取付け部１３０により、容器１１０を例えばキッチンカウンター等に固定できることにより、片手で容易に油引き用ペーパー１２０が引き出せる。
【００２６】
図５は、本考案の第１の実施形態に係る使い捨て油引き１００を示す底面図である。図５（ａ）は容器１１０の底面１１３に（取付け部１３０の）吸盤１３１が取り付けられた状態を示す。また図５（ｂ）は容器１１０の底面１１３から吸盤１３１が取り外された状態を示す。図５（ｂ）に示すように、底面１１３には取付け部１３０の構成要素として嵌着穴１３３が設けられている。使い捨て油引き１００の取付け部１３０によると、吸盤１３１は、容器１１０の嵌着穴１３３に吸盤１３１の支柱１３２の先端を差し込むことにより容器１１０に取付られる。嵌着穴１３３は、例えば放射状に複数の切り込み１３４を入れて構成される。これにより、吸盤１３０の支柱１３２の先端を嵌着穴１３３に差し込み易く、且つ抜け難くできる。また、容器１１０は使い捨てられるが、吸盤１３１は使いまわしすることができる。
【００２７】
なお、取付け部１３０は吸盤に限らず、例えば、強力に接着できて後から剥がせるタイプの両面接着テープであっても良い。この場合嵌着穴１３３は特に設けなくても良い。
【００２８】
本考案の使い捨て油引き１００の油引き用ペーパー１２０は、収容容器１１０からすぐに取り出せて使い易く、使い捨てるのに適当な大きさであるので使用するごとに廃棄しても経済的である。ゆえに、本考案の使い捨て油引き１００は便利かつ衛生的に使用することができる。
【００２９】
以上のように、本実施の形態に係る使い捨て油引き１００は、調理器具に食用油を引く際に使用される。使い捨て油引き１００は、幅方向に折り畳まれた複数の油引きペーパー１２０と、複数の油引きペーパー１２０を収容する容器１１０と、容器１１０を外部に固定する取付け部１３０とを有する。使い捨て油引き１００は、油引きペーパー１２０を取り出すための開口部１１１を有する。幅方向における開口部１１１の長さは、油引きペーパー１２０の幅以上である。
【００３０】
以上の構成により、油引きペーパー１２０は容器１１０から引っ掛かりなく取り出すことができて、素早く使用できる。また、使用済みの油引きペーパー１２０は捨てられることで、使い捨て油引き１００はいつも衛生的に使用できる。容器１１０も油引きペーパー１２０を消費後には捨てることができる。
【００３１】
使い捨て油引き１００に備えられる取付け部１３０は、吸盤１３１を含んでいる。
【００３２】
この構成により、吸盤１３１をキッチンカウンターや壁等の外部に取り付けることによって、使い捨て油引き１００を外部に固定することが可能となる。
【００３３】
取付け部１３０は、吸盤１３１の支柱１３２と、容器１１０に設けられ吸盤１３１の支柱１３２を着脱可能に嵌着する嵌着穴１３３を更に含む。
【００３４】
以上の構成により、使い捨て油引き１００の容器１１０に、吸盤１３１を容易に取り付けることができる。よって、使い捨て油引き１００を台所のキッチンカウンターや壁等の外部に固定することが容易にできる。また、嵌着穴１３３には切れ込み１３４が設けられている。この切れ込み１３４により吸盤１３１の支柱１３２は差し込みやすくて抜け難い。
【００３５】
よって、油引きペーパー１２０を容器１１０から取り出す際に、容器１１０が動いてしまうことが無くペーパーを取出し易い。また、容器１１０を消費した後も取付け部１３０の吸盤１３１は、新たな容器１１０に使いまわすことができて経済的である。すなわち、本考案の使い捨て油引き１００は、吸盤１３１（及び吸盤の支柱１３２）とは別体で提供可能である。この場合、取付け部１３０は、例えば嵌着穴１３３のみで構成できる。
【００３６】
使い捨て油引き１００において、複数の油引きペーパー１２０は、キッチンペーパーである。
【００３７】
このことにより、キッチンペーパーは、耐熱性、耐油性、保水性等に優れているので、使い捨て油引き１００は、調理の際に安全に使用することができる。また、油引きペーパー１２０には所望の食用油を浸して調理に使用することができる。
【００３８】
以上の実施の形態においては、使い捨て油引き１００の一例を説明したが、本考案はこれに限定されない。また、油引き用ペーパー１２０は、乾いているキッチンペーパーでも良いし、予め油が浸されている湿ったペーパーでも良い。以下、油引き用ペーパー１２０に油が浸されている場合について、使い捨て油引き１００の実施の形態２を、図６を参照して説明する。
【００３９】
図６は、本考案の実施形態２に係る使い捨て油引き２００の上面図である。実施形態２において、油引き用ペーパー１２０は、予め油が浸されているキッチンペーパーである。図６に示すように、開口部１１１の上には、開口部を開閉自在に封止する部材１１５が設けられている。この封止部材１１５の開閉により、容器１１０内のキッチンペーパー１２０が空気に触れることを抑制できて浸み込ませた油の酸化を遅らせることができる。
【００４０】
容器１１０は、例えば紙製の箱であって、且つ箱に油が浸み込むことを防ぐために、容器１１０の内側表面には油の浸み込み難いコーテイング等が施されている。また、容器１１０は紙製に限らず、油の浸み込み難いプラスチック等の合成樹脂製であっても良い。
【００４１】
以上のように、実施の形態２の使い捨て油引き２００では、容器１１０内に収容された油引きペーパー１２０には、予め食用油が浸されている。
【００４２】
以上の構成により、フライパン等の調理器具に油を入れる手間を省くことができる。フライパン等の調理器具に、取出した油引きペーパー１２０を延ばすだけで油を引くことができて便利である。食用油は、サラダ油、紅花油、ごま油、オリーブオイル等種々の油を使うことができる。
【００４３】
本考案の使い捨て油引きは、安価に製作出来るためコストも安いので使い捨てても経済的であるとともに、取出して使い易いことにより料理時間の短縮も期待できる。
【符号の説明】
【００４４】
１００      使い捨て油引き
１１０      油引き用ペーパー収容容器
１１１      開口部
１１３      底面
１１５      封止部材
１２０      油引き用ペーパー
１３０      取付け部
１３１      吸盤
１３２      吸盤の支柱
１３３      嵌着穴
１３４      嵌着穴の切れ込み
２００      使い捨て油引き
【図１】
0003217448.tif 000003
【図２】
0003217448.tif 000004
【図３】
0003217448.tif 000005
【図４】
0003217448.tif 000006
【図５】
0003217448.tif 000007
【図６】
0003217448.tif 000008